(57)【要約】【課題】ＬＤＡＰサーバ等の情報管理サーバからユーザ情報を取得して管理する画像形成装置に関して、情報管理サーバから取得されたユーザ情報の取得項目を、画像形成装置により管理されるユーザ情報の管理項目に置き換える際、ある取得項目の項目値として複数個の項目値が存在する場合につき、その複数個の項目値の中のどの項目値を、その取得項目から置き換えられる管理項目の項目値とするかに係る設定自由度を向上させること。【解決手段】ユーザ情報を管理する情報管理サーバからユーザ情報を取得する情報取得手段と、前記情報取得手段により取得されたユーザ情報を管理する情報管理手段を備える画像形成装置であって、前記情報取得手段により取得されたユーザ情報の取得項目を前記情報管理手段により管理されるユーザ情報の管理項目に置き換える際、ある取得項目の項目値として複数個の項目値が存在する場合、指定操作に基づいて当該複数個の項目値の中から指定される１個の項目値を、その取得項目から置き換えられる管理項目の項目値とすることを特徴とする画像形成装置。【選択図】    図１３
2004274504.tif 000002
【特許請求の範囲】
【請求項１】
ユーザ情報を管理する情報管理サーバからユーザ情報を取得する情報取得手段と、前記情報取得手段により取得されたユーザ情報を管理する情報管理手段を備える画像形成装置であって、
前記情報取得手段により取得されたユーザ情報の取得項目を前記情報管理手段により管理されるユーザ情報の管理項目に置き換える際、ある取得項目の項目値として複数個の項目値が存在する場合、指定操作に基づいて当該複数個の項目値の中から指定される１個の項目値を、その取得項目から置き換えられる管理項目の項目値とすることを特徴とする画像形成装置。
【請求項２】
ユーザ情報を管理する情報管理サーバからユーザ情報を取得する情報取得手段と、前記情報取得手段により取得されたユーザ情報を管理する情報管理手段を備える画像形成装置であって、
前記情報取得手段により取得されたユーザ情報の取得項目を前記情報管理手段により管理されるユーザ情報の管理項目に置き換える際、ある取得項目の項目値として複数個の項目値が存在する場合、指定操作に基づいて当該複数個の項目値の中から指定される複数個の項目値を、その取得項目から置き換えられる管理項目の項目値とすることを特徴とする画像形成装置。
【請求項３】
ユーザ情報を管理する情報管理サーバからユーザ情報を取得する情報取得手段と、前記情報取得手段により取得されたユーザ情報を管理する情報管理手段を備える画像形成装置であって、
前記情報取得手段により取得されたユーザ情報の取得項目を前記情報管理手段により管理されるユーザ情報の管理項目に置き換える際、ある取得項目の項目値として複数個の項目値が存在する場合、当該複数個の項目値の全てを、その取得項目から置き換えられる管理項目の項目値とすることを特徴とする画像形成装置。
【請求項４】
前記指定操作は、当該ユーザ情報が前記情報取得手段により取得される前に行われた指定操作であることを特徴とする請求項１又は２に記載の画像形成装置。
【請求項５】
前記指定操作は、当該ユーザ情報が前記情報管理手段により取得された後に行われた指定操作であることを特徴とする請求項１又は２に記載の画像形成装置。
【請求項６】
前記情報管理手段は、ある管理項目の項目値として複数個の項目値を管理する場合、当該複数個の項目値を１個のエントリに格納して管理することを特徴とする請求項２又は３に記載の画像形成装置。
【請求項７】
前記情報管理手段は、ある管理項目の項目値として複数個の項目値を管理する場合、当該複数個の項目値を複数個のエントリに格納して管理することを特徴とする請求項２又は３に記載の画像形成装置。
【請求項８】
ユーザ情報を管理する情報管理サーバからユーザ情報を取得する情報取得手段と、前記情報取得手段により取得されたユーザ情報を管理する情報管理手段を備える画像形成装置であって、
前記情報管理手段により管理されるユーザ情報の管理項目である第１管理項目と前記情報管理サーバにより管理されるユーザ情報の管理項目である第２管理項目とを対応させる対応操作に基づいて、当該第１管理項目の項目値として前記情報管理手段により管理されるユーザ情報を当該第２管理項目の項目値として前記情報管理サーバにより管理されるユーザ情報にリンクさせることを特徴とする画像形成装置。
【請求項９】
前記対応操作では、前記第２管理項目の候補として、複数個の管理項目を挙げることが可能であることを特徴とする請求項８に記載の画像形成装置。
【請求項１０】
前記対応操作では、前記第２管理項目の候補として、同一の前記情報管理サーバにより管理されるユーザ情報の管理項目同士を挙げることが可能であることを特徴とする請求項９に記載の画像形成装置。
【請求項１１】
前記対応操作では、前記第２管理項目の候補として、別々の前記情報管理サーバにより管理されるユーザ情報の管理項目同士を挙げることが可能であることを特徴とする請求項９に記載の画像形成装置。
【請求項１２】
前記情報管理サーバは、ＬＤＡＰサーバであることを特徴とする請求項１乃至１１のいずれか１項に記載の画像形成装置。
【請求項１３】
前記情報管理手段により管理されているユーザ情報を利用して画像形成処理を実行することを特徴とする請求項１乃至１２のいずれか１項に記載の画像形成装置。
【請求項１４】
前記情報管理手段により管理されているユーザ情報を利用して画像を送信することを特徴とする請求項１乃至１２のいずれか１項に記載の画像形成装置。
【請求項１５】
ユーザ情報を管理する情報管理サーバからユーザ情報を取得する情報取得段階と、前記情報取得段階により取得されたユーザ情報を管理する情報管理段階を備え、前記情報管理段階により管理されているユーザ情報を利用して画像形成処理を実行する画像形成方法であって、
前記情報取得段階により取得されたユーザ情報の取得項目を前記情報管理段階により管理されるユーザ情報の管理項目に置き換える際、ある取得項目の項目値として複数個の項目値が存在する場合、指定操作に基づいて当該複数個の項目値の中から指定される１個の項目値を、その取得項目から置き換えられる管理項目の項目値とすることを特徴とする画像形成方法。
【請求項１６】
ユーザ情報を管理する情報管理サーバからユーザ情報を取得する情報取得段階と、前記情報取得段階により取得されたユーザ情報を管理する情報管理段階を備え、前記情報管理段階により管理されているユーザ情報を利用して画像形成処理を実行する画像形成方法であって、
前記情報取得段階により取得されたユーザ情報の取得項目を前記情報管理段階により管理されるユーザ情報の管理項目に置き換える際、ある取得項目の項目値として複数個の項目値が存在する場合、指定操作に基づいて当該複数個の項目値の中から指定される複数個の項目値を、その取得項目から置き換えられる管理項目の項目値とすることを特徴とする画像形成方法。
【請求項１７】
ユーザ情報を管理する情報管理サーバからユーザ情報を取得する情報取得段階と、前記情報取得段階により取得されたユーザ情報を管理する情報管理段階を備え、前記情報管理段階により管理されているユーザ情報を利用して画像形成処理を実行する画像形成方法であって、
前記情報取得段階により取得されたユーザ情報の取得項目を前記情報管理段階により管理されるユーザ情報の管理項目に置き換える際、ある取得項目の項目値として複数個の項目値が存在する場合、当該複数個の項目値の全てを、その取得項目から置き換えられる管理項目の項目値とすることを特徴とする画像形成方法。
【請求項１８】
ユーザ情報を管理する情報管理サーバからユーザ情報を取得する情報取得段階と、前記情報取得段階により取得されたユーザ情報を管理する情報管理段階を備え、前記情報管理段階により管理されているユーザ情報を利用して画像形成処理を実行する画像形成方法であって、
前記情報管理段階により管理されるユーザ情報の管理項目である第１管理項目と前記情報管理サーバにより管理されるユーザ情報の管理項目である第２管理項目とを対応させる対応操作に基づいて、当該第１管理項目の項目値として前記情報管理段階により管理されるユーザ情報を当該第２管理項目の項目値として前記情報管理サーバにより管理されるユーザ情報にリンクさせることを特徴とする画像形成方法。
【請求項１９】
前記対応操作では、前記第２管理項目の候補として、複数個の管理項目を挙げることが可能であることを特徴とする請求項１８に記載の画像形成方法。
【請求項２０】
前記対応操作では、前記第２管理項目の候補として、同一の前記情報管理サーバにより管理されるユーザ情報の管理項目同士を挙げることが可能であることを特徴とする請求項１９に記載の画像形成方法。
【請求項２１】
前記対応操作では、前記第２管理項目の候補として、別々の前記情報管理サーバにより管理されるユーザ情報の管理項目同士を挙げることが可能であることを特徴とする請求項１９に記載の画像形成方法。
【請求項２２】
前記情報管理サーバは、ＬＤＡＰサーバであることを特徴とする請求項１５乃至２１のいずれか１項に記載の画像形成方法。
【発明の詳細な説明】
【０００１】
【発明の属する技術分野】
本発明は、コピー、プリンタ、スキャナ、ファクシミリ、複合機、融合機等の画像形成装置及び画像形成方法に関する。
【０００２】
【従来の技術】
近年、１台の機器でコピーとプリンタとスキャナとファクシミリとしての機能を実現した「複合機」や「融合機」が市販されるようになった。これらの複合機や融合機は、撮像部と印刷部と通信部等のハードウェアを備えると共に、コピーとプリンタとスキャナとファクシミリに対応する４種類のソフトウェアを備え、これらのソフトウェアが切り替わることにより、コピーやプリンタやスキャナやファクシミリとして機能する。コピーやプリンタとして機能する場合、画像を印刷用紙等に印刷することになり、スキャナやファクシミリとして機能する場合、画像をネットワーク等を介して他の機器に送信することになる。
【０００３】
【発明が解決しようとする課題】
複合機や融合機の機能の中には「ユーザ情報」が必要となる機能が存在する。例えば、複合機や融合機がスキャナやファクシミリとして機能する場合、メールアドレスやファクシミリ電話番号のような「ユーザ情報」が必要となる。複合機や融合機には、これらのユーザ情報を管理する機能が用意されているのだが、複合機や融合機にさらに、これらのユーザ情報を「情報管理サーバ」から取得する機能が用意されていると便利である。このような「情報管理サーバ」としては、社員情報、顧客情報、住民情報等の管理に利用されているＬＤＡＰ（Ｌｉｇｈｔｗｅｉｇｈｔ  Ｄｉｒｅｃｔｏｒｙ  Ａｃｃｅｓｓ  Ｐｒｏｔｏｃｏｌ）サーバ等が挙げられる。
【０００４】
ＬＤＡＰサーバでは、人間や組織は「オブジェクト」として観念される。個々のオブジェクトに関する情報は、個々のオブジェクトの「エントリ」により格納される。エントリには、オブジェクトの種類に関する情報である「オブジェクトクラス」や、オブジェクトの性質に関する情報である「属性」等が格納される。
属性は、ｃ（国）ｏ（組織）ｏｕ（組織内単位）ｃｎ（姓名）ｓｎ（姓）ｇｉｖｅｎＮａｍｅ（名）ｍａｉｌ（メールアドレス）ｆａｃｓｉｍｉｌｅＴｅｌｅｐｈｏｎｅＮｕｍｂｅｒ（ファクシミリ電話番号）等の「属性型」と、ｃ：日本、ｏ：リコー、ｏｕ：研究開発部、ｃｎ：鈴木太郎、ｓｎ：鈴木、ｇｉｖｅｎＮａｍｅ：太郎等の「属性値」により構成される。各エントリはオブジェクトクラスにより階層化されているため、各エントリの識別名（ＤＮ）は、各エントリの１の属性（識別属性）に由来する各エントリの相対識別名（ＲＤＮ）を階層順に並べて構成される。
【０００５】
ＬＤＡＰクライアントとＬＤＡＰサーバの間では、様々な「要求」と「応答」が繰り返される。ＬＤＡＰでは、結合（ｂｉｎｄ）や結合解放（ｕｎｂｉｎｄ）等の認証系操作や、検索（ｓｅａｒｃｈ）や比較（ｃｏｍｐａｒｅ）等の問合せ系操作や、追加（ａｄｄ）や削除（ｄｅｌｅｔｅ）や変更（ｍｏｄｉｆｙ）等の更新系操作が用意されている。例えば、ＬＤＡＰクライアントからＬＤＡＰサーバに「検索操作」が要求されると、ＬＤＡＰサーバからＬＤＡＰクライアントに「検索結果」が応答される。
【０００６】
さて、複合機や融合機がユーザ情報をＬＤＡＰサーバから取得した場合、ＬＤＡＰサーバから取得されたユーザ情報の取得項目を、複合機や融合機により管理されるユーザ情報の管理項目に置き換える必要がある。ＬＤＡＰサーバにより管理されるユーザ情報の管理項目（エントリに格納されている属性）と、複合機や融合機により管理されるユーザ情報の管理項目とが同じとは限らないからである。例えば、ＬＤＡＰサーバではメールアドレスは「ｍａｉｌ」という管理項目（属性）に管理されるが、複合機や融合機ではメールアドレスは「メール宛先」という管理項目に管理されたりする。
【０００７】
その際、ある取得項目の項目値として複数個の項目値が存在する場合がある。
例えば、ユーザ「鈴木太郎」に関して、取得項目「ｍａｉｌ」の項目値として３個の項目値「ｔａｒｏ＠ｒ．ｃｏ．ｊｐ」「ｓｕｚｕｋｉ＠ｒ．ｃｏ．ｊｐ」「ｔａｒｏｓｕｚｕｋｉ＠ｒ．ｃｏ．ｊｐ」が存在する場合がある。この場合、その複数個の項目値の中のどの項目値を、その取得項目から置き換えられる管理項目の項目値とするかに係る設定自由度は高い方が理想的である。
【０００８】
また、複合機や融合機がユーザ情報をＬＤＡＰサーバから取得する場合、複合機や融合機により管理されるユーザ情報を、ＬＤＡＰサーバにより管理されるユーザ情報にリンクさせると便利である。そのためには、複合機や融合機により管理されるユーザ情報の管理項目と、ＬＤＡＰサーバにより管理されるユーザ情報の管理項目とを対応させる必要がある。この場合、複合機や融合機により管理されるユーザ情報のどの管理項目と、ＬＤＡＰサーバにより管理されるユーザ情報のどの管理項目とを対応させるかに係る設定自由度は高い方が理想的である。
【０００９】
したがって、本発明は第１に、ＬＤＡＰサーバ等の情報管理サーバからユーザ情報を取得して管理する画像形成装置に関して、情報管理サーバから取得されたユーザ情報の取得項目を、画像形成装置により管理されるユーザ情報の管理項目に置き換える際、ある取得項目の項目値として複数個の項目値が存在する場合につき、その複数個の項目値の中のどの項目値を、その取得項目から置き換えられる管理項目の項目値とするかに係る設定自由度を向上させることを課題とする。
【００１０】
したがって、本発明は第２に、ＬＤＡＰサーバ等の情報管理サーバからユーザ情報を取得して管理する画像形成装置に関して、画像形成装置により管理されるユーザ情報を、情報管理サーバにより管理されるユーザ情報にリンクさせる手法を提案すると共に、その手法に関して、画像形成装置により管理されるユーザ情報のどの管理項目と、情報管理サーバにより管理されるユーザ情報のどの管理項目とを対応させるかに係る設定自由度を向上させることを課題とする。
【００１１】
【課題を解決するための手段】
請求項１に記載の発明（画像形成装置）は、ユーザ情報を管理する情報管理サーバからユーザ情報を取得する情報取得手段と、前記情報取得手段により取得されたユーザ情報を管理する情報管理手段を備える画像形成装置であって、前記情報取得手段により取得されたユーザ情報の取得項目を前記情報管理手段により管理されるユーザ情報の管理項目に置き換える際、ある取得項目の項目値として複数個の項目値が存在する場合、指定操作に基づいて当該複数個の項目値の中から指定される１個の項目値を、その取得項目から置き換えられる管理項目の項目値とする。
【００１２】
請求項２に記載の発明（画像形成装置）は、ユーザ情報を管理する情報管理サーバからユーザ情報を取得する情報取得手段と、前記情報取得手段により取得されたユーザ情報を管理する情報管理手段を備える画像形成装置であって、前記情報取得手段により取得されたユーザ情報の取得項目を前記情報管理手段により管理されるユーザ情報の管理項目に置き換える際、ある取得項目の項目値として複数個の項目値が存在する場合、指定操作に基づいて当該複数個の項目値の中から指定される複数個の項目値を、その取得項目から置き換えられる管理項目の項目値とする。
【００１３】
請求項３に記載の発明（画像形成装置）は、ユーザ情報を管理する情報管理サーバからユーザ情報を取得する情報取得手段と、前記情報取得手段により取得されたユーザ情報を管理する情報管理手段を備える画像形成装置であって、前記情報取得手段により取得されたユーザ情報の取得項目を前記情報管理手段により管理されるユーザ情報の管理項目に置き換える際、ある取得項目の項目値として複数個の項目値が存在する場合、当該複数個の項目値の全てを、その取得項目から置き換えられる管理項目の項目値とする。
【００１４】
請求項４に記載の発明（画像形成装置）は、請求項１又は２に記載の発明（画像形成装置）に関して、前記指定操作は、当該ユーザ情報が前記情報取得手段により取得される前に行われた指定操作である。
【００１５】
請求項５に記載の発明（画像形成装置）は、請求項１又は２に記載の発明（画像形成装置）に関して、前記指定操作は、当該ユーザ情報が前記情報管理手段により取得された後に行われた指定操作である。
【００１６】
請求項６に記載の発明（画像形成装置）は、請求項２又は３に記載の発明（画像形成装置）に関して、前記情報管理手段は、ある管理項目の項目値として複数個の項目値を管理する場合、当該複数個の項目値を１個のエントリに格納して管理する。
【００１７】
請求項７に記載の発明（画像形成装置）は、請求項２又は３に記載の発明（画像形成装置）に関して、前記情報管理手段は、ある管理項目の項目値として複数個の項目値を管理する場合、当該複数個の項目値を複数個のエントリに格納して管理する。
【００１８】
請求項８に記載の発明（画像形成装置）は、ユーザ情報を管理する情報管理サーバからユーザ情報を取得する情報取得手段と、前記情報取得手段により取得されたユーザ情報を管理する情報管理手段を備える画像形成装置であって、前記情報管理手段により管理されるユーザ情報の管理項目である第１管理項目と前記情報管理サーバにより管理されるユーザ情報の管理項目である第２管理項目とを対応させる対応操作に基づいて、当該第１管理項目の項目値として前記情報管理手段により管理されるユーザ情報を当該第２管理項目の項目値として前記情報管理サーバにより管理されるユーザ情報にリンクさせる。
【００１９】
請求項９に記載の発明（画像形成装置）は、請求項８に記載の発明（画像形成装置）に関して、前記対応操作では、前記第２管理項目の候補として、複数個の管理項目を挙げることが可能である。
【００２０】
請求項１０に記載の発明（画像形成装置）は、請求項９に記載の発明（画像形成装置）に関して、前記対応操作では、前記第２管理項目の候補として、同一の前記情報管理サーバにより管理されるユーザ情報の管理項目同士を挙げることが可能である。
【００２１】
請求項１１に記載の発明（画像形成装置）は、請求項９に記載の発明（画像形成装置）に関して、前記対応操作では、前記第２管理項目の候補として、別々の前記情報管理サーバにより管理されるユーザ情報の管理項目同士を挙げることが可能である。
【００２２】
請求項１２に記載の発明（画像形成装置）は、請求項１乃至１１のいずれか１項に記載の発明（画像形成装置）に関して、前記情報管理サーバは、ＬＤＡＰサーバである。
【００２３】
請求項１３に記載の発明（画像形成装置）は、請求項１乃至１２のいずれか１項に記載の発明（画像形成装置）に関して、前記情報管理手段により管理されているユーザ情報を利用して画像形成処理を実行する。
【００２４】
請求項１４に記載の発明（画像形成装置）は、請求項１乃至１２のいずれか１項に記載の発明（画像形成装置）に関して、前記情報管理手段により管理されているユーザ情報を利用して画像を送信する。
【００２５】
請求項１５に記載の発明（画像形成方法）は、ユーザ情報を管理する情報管理サーバからユーザ情報を取得する情報取得段階と、前記情報取得段階により取得されたユーザ情報を管理する情報管理段階を備え、前記情報管理段階により管理されているユーザ情報を利用して画像形成処理を実行する画像形成方法であって、前記情報取得段階により取得されたユーザ情報の取得項目を前記情報管理段階により管理されるユーザ情報の管理項目に置き換える際、ある取得項目の項目値として複数個の項目値が存在する場合、指定操作に基づいて当該複数個の項目値の中から指定される１個の項目値を、その取得項目から置き換えられる管理項目の項目値とする。
【００２６】
請求項１６に記載の発明（画像形成方法）は、ユーザ情報を管理する情報管理サーバからユーザ情報を取得する情報取得段階と、前記情報取得段階により取得されたユーザ情報を管理する情報管理段階を備え、前記情報管理段階により管理されているユーザ情報を利用して画像形成処理を実行する画像形成方法であって、前記情報取得段階により取得されたユーザ情報の取得項目を前記情報管理段階により管理されるユーザ情報の管理項目に置き換える際、ある取得項目の項目値として複数個の項目値が存在する場合、指定操作に基づいて当該複数個の項目値の中から指定される複数個の項目値を、その取得項目から置き換えられる管理項目の項目値とする。
【００２７】
請求項１７に記載の発明（画像形成方法）は、ユーザ情報を管理する情報管理サーバからユーザ情報を取得する情報取得段階と、前記情報取得段階により取得されたユーザ情報を管理する情報管理段階を備え、前記情報管理段階により管理されているユーザ情報を利用して画像形成処理を実行する画像形成方法であって、前記情報取得段階により取得されたユーザ情報の取得項目を前記情報管理段階により管理されるユーザ情報の管理項目に置き換える際、ある取得項目の項目値として複数個の項目値が存在する場合、当該複数個の項目値の全てを、その取得項目から置き換えられる管理項目の項目値とする。
【００２８】
請求項１８に記載の発明（画像形成方法）は、ユーザ情報を管理する情報管理サーバからユーザ情報を取得する情報取得段階と、前記情報取得段階により取得されたユーザ情報を管理する情報管理段階を備え、前記情報管理段階により管理されているユーザ情報を利用して画像形成処理を実行する画像形成方法であって、前記情報管理段階により管理されるユーザ情報の管理項目である第１管理項目と前記情報管理サーバにより管理されるユーザ情報の管理項目である第２管理項目とを対応させる対応操作に基づいて、当該第１管理項目の項目値として前記情報管理段階により管理されるユーザ情報を当該第２管理項目の項目値として前記情報管理サーバにより管理されるユーザ情報にリンクさせる。
【００２９】
請求項１９に記載の発明（画像形成方法）は、請求項１８に記載の発明（画像形成方法）に関して、前記対応操作では、前記第２管理項目の候補として、複数個の管理項目を挙げることが可能である。
【００３０】
請求項２０に記載の発明（画像形成方法）は、請求項１９に記載の発明（画像形成方法）に関して、前記対応操作では、前記第２管理項目の候補として、同一の前記情報管理サーバにより管理されるユーザ情報の管理項目同士を挙げることが可能である。
【００３１】
請求項２１に記載の発明（画像形成方法）は、請求項１９に記載の発明（画像形成方法）に関して、前記対応操作では、前記第２管理項目の候補として、別々の前記情報管理サーバにより管理されるユーザ情報の管理項目同士を挙げることが可能である。
【００３２】
請求項２２に記載の発明（画像形成方法）は、請求項１５乃至２１のいずれか１項に記載の発明（画像形成方法）に関して、前記情報管理サーバは、ＬＤＡＰサーバである。
【００３３】
請求項１乃至７のいずれか１項に記載の発明（画像形成装置）は、ＬＤＡＰサーバ等の情報管理サーバからユーザ情報を取得して管理する画像形成装置に関して、情報管理サーバから取得されたユーザ情報の取得項目を、画像形成装置により管理されるユーザ情報の管理項目に置き換える際、ある取得項目の項目値として複数個の項目値が存在する場合につき、その複数個の項目値の中のどの項目値を、その取得項目から置き換えられる管理項目の項目値とするかに係る設定自由度を向上させることを可能にする。
【００３４】
請求項８に記載の発明（画像形成装置）は、ＬＤＡＰサーバ等の情報管理サーバからユーザ情報を取得して管理する画像形成装置に関して、画像形成装置により管理されるユーザ情報を、情報管理サーバにより管理されるユーザ情報にリンクさせることを可能にする。
【００３５】
請求項９乃至１１のいずれか１項に記載の発明（画像形成装置）は、ＬＤＡＰサーバ等の情報管理サーバからユーザ情報を取得して管理する画像形成装置に関して、画像形成装置により管理されるユーザ情報を、情報管理サーバにより管理されるユーザ情報にリンクさせることを可能にすると共に、画像形成装置により管理されるユーザ情報のどの管理項目と、情報管理サーバにより管理されるユーザ情報のどの管理項目とを対応させるかに係る設定自由度を向上させることを可能にする。
【００３６】
請求項１５乃至１７のいずれか１項に記載の発明（画像形成方法）は、ＬＤＡＰサーバ等の情報管理サーバからユーザ情報を取得して管理する画像形成方法に関して、情報管理サーバから取得されたユーザ情報の取得項目を、画像形成方法により管理されるユーザ情報の管理項目に置き換える際、ある取得項目の項目値として複数個の項目値が存在する場合につき、その複数個の項目値の中のどの項目値を、その取得項目から置き換えられる管理項目の項目値とするかに係る設定自由度を向上させることを可能にする。
【００３７】
請求項１８に記載の発明（画像形成方法）は、ＬＤＡＰサーバ等の情報管理サーバからユーザ情報を取得して管理する画像形成方法に関して、画像形成方法により管理されるユーザ情報を、情報管理サーバにより管理されるユーザ情報にリンクさせることを可能にする。
【００３８】
請求項１９乃至２１のいずれか１項に記載の発明（画像形成方法）は、ＬＤＡＰサーバ等の情報管理サーバからユーザ情報を取得して管理する画像形成方法に関して、画像形成方法により管理されるユーザ情報を、情報管理サーバにより管理されるユーザ情報にリンクさせることを可能にすると共に、画像形成方法により管理されるユーザ情報のどの管理項目と、情報管理サーバにより管理されるユーザ情報のどの管理項目とを対応させるかに係る設定自由度を向上させることを可能にする。
【００３９】
【発明の実施の形態】
本発明の実施の形態について説明する。
【００４０】
図１は、本発明の実施の形態の例である融合機１０１を表す。図１の融合機１０１は、種々のハードウェア１１１と、種々のソフトウェア１１２と、融合機起動部１１３により構成される。これらにより、図１の融合機１０１は、コピーやプリンタやスキャナやファクシミリとして機能する。
【００４１】
ハードウェア１１１としては、撮像部１２１と、印刷部１２２と、その他のハードウェア１２３が存在する。
【００４２】
撮像部１２１は、原稿から画像（画像データ）を取得するためのハードウェアであり、コピーやスキャナやファクシミリとして機能する際に使用される。撮像部１２１は、白黒画像用の物でもカラー画像用の物でもよい。撮影部１２１は、原稿に関する機構として、原稿セット部等を備える。
【００４３】
印刷部１２２は、画像（画像データ）を印刷用紙等に印刷するためのハードウェアであり、コピーやプリンタやファクシミリとして機能する際に使用される。
印刷部１２２は、白黒画像用の物でもカラー画像用の物でもよい。印刷部１２２は、ここでは電子写真方式を採用しており、感光体、帯電機、露光機、現像機、転写機、定着機等を備える。印刷部１２２は、印刷用紙等に関する機構として、給紙部、排紙部、印刷用紙搬送機構等を備える。
【００４４】
その他のハードウェア１２３に関しては、図２において説明する。
【００４５】
ソフトウェア１１２としては、種々のアプリケーション１３１と、プラットフォーム１３２が存在する。これらは、ＵＮＩＸ（登録商標）等のＯＳ（オペレーティングシステム）によりプロセス単位で並列的に実行される。
【００４６】
アプリケーション１３１は、コピーやプリンタやスキャナやファクシミリ等の各機能に固有の情報処理を実行するためのソフトウェアである。アプリケーション１３１としては、コピー用のアプリケーションであるコピーアプリ１４１と、プリンタ用のアプリケーションであるプリンタアプリ１４２と、スキャナ用のアプリケーションであるスキャナアプリ１４３と、ファクシミリ用のアプリケーションであるファクシミリアプリ１４４と、ネットワークファイル用のアプリケーションであるネットワークファイルアプリ１４５が存在する。ネットワークファイルアプリ１４５は、ＨＴＭＬ文書等を配信するためのＷｅｂサーバソフト、ＨＴＭＬ文書等を閲覧するためのＷｅｂブラウザ等により構成される。
【００４７】
プラットフォーム１３２は、アプリケーション１３１からハードウェア１１１への処理要求に関する情報処理を実行するためのソフトウェアである。アプリケーション１３１からの処理要求の受信には、予め定義されている関数により処理要求を受信するアプリケーションインタフェース（ＡＰＩ）１３３を利用して、ハードウェア１１１への処理要求の送信には、予め定義されている関数により処理要求を送信するエンジンインタフェース（ＥＮＩ）１３４を利用する。プラットフォーム１３２は、種々のコントロールサービス１５１と、システムリソースマネージャ１５２と、種々のハンドラ１５３により構成される。
【００４８】
コントロールサービス１５１は、アプリケーション１３１からハードウェア１１１への処理要求を解釈して、解釈結果に応じてハードウェア１１１の獲得要求を発生する。コントロールサービス１５１としては、ネットワークコントロールサービス（ＮＣＳ）１６１と、ファクシミリコントロールサービス（ＦＣＳ）１６２と、デリバリコントロールサービス（ＤＣＳ）１６３と、エンジンコントロールサービス（ＥＣＳ）１６４と、メモリコントロールサービス（ＭＣＳ）１６５と、オペレーションパネルコントロールサービス（ＯＣＳ）１６６と、ユーザディレクトリコントロールサービス（ＵＣＳ）１６７と、システムコントロールサービス（ＳＣＳ）１６８が存在する。
【００４９】
ＮＣＳ１６１のプロセスは、ネットワーク等を介してデータ通信を行うためのＡＰＩを提供する。ＦＣＳ１６２のプロセスは、ファクシミリとして画像データ通信・画像データ取得・画像データ印刷等を行うためのＡＰＩを提供する。ＤＣＳ１６３のプロセスは、融合機１０１に蓄積されている文書データの配信に関する制御を行う。ＥＣＳ１６４のプロセスは、撮像部１２１や印刷部１２２等のエンジン部に関する制御を行う。ＭＣＳ１６５のプロセスは、画像データ記憶・画像データ処理等のメモリやハードディスクドライブに関する制御を行う。ＯＣＳ１６６のプロセスは、オペレーションパネルに関する制御を行う。ＵＣＳ１６７のプロセスは、ユーザ情報の管理に関する制御を行う。ＳＣＳ１６８のプロセスは、システムの管理に関する制御を行う。
【００５０】
システムリソースマネージャ（ＳＲＭ）１５２は、ハードウェア１１１の獲得要求を調停して、調停結果に応じてハードウェア１１１への処理要求を実現するための制御を行う。具体的に言うと、ＳＲＭ１５２のプロセスは、獲得要求に係るハードウェア１１１が利用可能か否か（他の獲得要求と競合しないか否か）を判定して、利用可能である場合にはその旨をコントロールサービス１５１に通知する。さらには、獲得要求に係るハードウェア１１１の利用スケジュールを作成して、作成結果に応じてハードウェア１１１への処理要求を実現するための制御を行う。
【００５１】
ハンドラ１５３は、上記の調停結果に応じてハードウェア１１１を管理する。
ハンドラ１５３としては、ファクシミリコントロールユニットハンドラ（ＦＣＵＨ）１７１と、イメージメモリハンドラ（ＩＭＨ）１７２が存在する。ＦＣＵＨ１７１は、ファクシミリコントロールユニットを管理する。ＩＭＨ１７２は、メモリを各プロセスに割り振り、各プロセスが割り振られたメモリを管理する。
【００５２】
融合機起動部１１３は、融合機１０１の電源投入時に最初に実行される。これにより、ＵＮＩＸ（登録商標）等のＯＳが起動されて、アプリケーション１３１とプラットフォーム１３２が起動される。これらのプログラムは、ハードディスクドライブに蓄積されており、ハードディスクドライブから再生されて、メモリに起動されることになる。
【００５３】
図２は、図１の融合機１０１のハードウェア１１１を表す。ハードウェア１１１としては、コントローラ２０１と、オペレーションパネル２０２と、ファクシミリコントロールユニット（ＦＣＵ）２０３と、撮像部１２１と、印刷部１２２が存在する。図２における撮像部１２１と印刷部１２２を除く構成要素が、図１における「その他のハードウェア１２３」に該当する。
【００５４】
コントローラ２０１は、ＣＰＵ２１１と、ＡＳＩＣ２１２と、ＮＢ（ノースブリッジ）２２１と、ＳＢ（サウスブリッジ）２２２と、ＭＥＭ−Ｐ（システムメモリ）２３１と、ＭＥＭ−Ｃ（ローカルメモリ）２３２と、ＨＤＤ（ハードディスクドライブ）２３３と、ＮＩＣ（ネットワークインタフェースコントローラ）２４１と、ＵＳＢデバイス２４２と、ＩＥＥＥ１３９４デバイス２４３と、セントロニクスデバイス２４４により構成される。
【００５５】
ＣＰＵ２１１は、種々の情報処理を実行するためのハードウェアである。例えば、ＵＮＩＸ（登録商標）等のＯＳにより、アプリケーション１３１とプラットフォーム１３２をプロセス単位で並列的に実行する。ＡＳＩＣ２１２は、画像データ処理用のＩＣである。ＮＢ２２１は、ＣＰＵ２１１とＡＳＩＣ２１２を接続するためのブリッジである。ＳＢ２２２は、ＮＢ２２１と周辺機器等を接続するためのブリッジである。ＡＳＩＣ２１２とＮＢ２２１は、ＡＧＰ（Ａｃｃｅｌｅｒａｔｅｄ  Ｇｒａｐｈｉｃｓ  Ｐｏｒｔ）を介して接続されている。
【００５６】
ＭＥＭ−Ｐ２３１は、ＮＢ２２１に接続されて使用されるメモリである。ＭＥＭ−Ｃ２３２は、ＡＳＩＣ２１２に接続されて使用されるメモリである。ＨＤＤ２３３は、ＡＳＩＣ２１２に接続されて使用されるストレージであり、画像データ蓄積・文書データ蓄積・プログラム蓄積・フォントデータ蓄積・フォームデータ蓄積等を行うために使用される。
【００５７】
ＮＩＣ２４１は、ネットワーク等を介してＭＡＣアドレス等を使用したデータ通信を行うためのコントローラである。ＵＳＢデバイス２４２は、ＵＳＢ規格に準拠したシリアルポートを提供するためのデバイスである。ＩＥＥＥ１３９４デバイス２４３は、ＩＥＥＥ１３９４規格に準拠したシリアルポートを提供するためのデバイスである。セントロニクスデバイス２４４は、セントロニクス仕様のパラレルポートを提供するためのデバイスである。ＮＩＣ２４１と、ＵＳＢデバイス２４２と、ＩＥＥＥ１３９４デバイス２４３と、セントロニクスデバイス２４４は、ＰＣＩバスによりＮＢ２２１とＳＢ２２２に接続されている。
【００５８】
オペレーションパネル２０２は、オペレータが融合機１０１に入力を行うためのハードウェア（操作部）であると共に、融合機１０１がオペレータに出力を行うためのハードウェア（表示部）である。オペレーションパネル２０２は、ＡＳＩＣ２１２に接続されている。ＦＣＵ２０３と、撮像部１２１と、印刷部１２２は、ＰＣＩバスによりＡＳＩＣ２１２に接続されている。
【００５９】
図３は、図１の融合機１０１の外観を表す。図３には、撮像部１２１の位置、印刷部１２２の位置、オペレーションパネル２０２の位置が図示されている。図３にはさらに、原稿をセットするための原稿セット部３０１、印刷用紙の給紙先となる給紙部３０２、印刷用紙の排紙先となる排紙部３０３が図示されている。
原稿セット部３０１は、撮像部１２１の構成要素であり、給紙部３０２と排紙部３０３は、印刷部１２２の構成要素である。
【００６０】
オペレーションパネル２０２は、図４のように、タッチパネル３１１と、数字ボタン３１２と、スタートボタン３１３により構成される。
【００６１】
タッチパネル３１１は、オペレータが融合機１０１にタッチ操作で入力を行うためのハードウェア（タッチ操作部）であると共に、融合機１０１がオペレータに画面表示で出力を行うためのハードウェア（画面表示部）である。数字ボタン３１２は、オペレータが融合機１０１にボタン操作で数字入力を行うためのハードウェアである。スタートボタン３１３は、オペレータが融合機１０１にボタン操作でスタート入力を行うためのハードウェアである。
【００６２】
融合機１０１は、原稿セット部３０１に原稿がセットされている場合、スタートボタン３１３が押されることで、撮像部１２１によりその原稿から画像を取得する。融合機１０１は、コピーとして機能する場合、印刷部１２２によりその画像を印刷用紙等に印刷することになり、スキャナやファクシミリとして機能する場合、ＮＩＣ２４１等によりその画像をネットワーク等を介して他の機器に送信することになる。印刷用紙の給紙先は給紙部３０２であり、印刷用紙の排紙先は排紙部３０３である。
【００６３】
原稿セット部３０１は、ＡＤＦ（自動原稿搬送装置）３２１と、フラットベッド３２２と、フラットベッドカバー３２３により構成される。
【００６４】
ＡＤＦ３２１は、フラットベッドカバー３２３の上面に設置されている。ＡＤＦ３２１には複数枚の原稿を重ねてセットすることができる。融合機１０１は、ＡＤＦ３２１に原稿がセットされている場合、スタートボタン３１３が押されることで、撮像部１２１によりその原稿から画像を取得する。具体的に言うと、スタートボタン３１３が押されると、ＡＤＦ３２１が、図３の矢印のような経路で複数枚の原稿を１枚ずつ搬送して、撮像部１２１が、図３の矢印のような経路で１枚ずつ搬送される原稿から画像を取得する。
【００６５】
フラットベッド３２２は、フラットベッドカバー３２３を開くと現れる。フラットベッド３２２は、ガラスやプラスチックのような透明部材により形成されている。フラットベッド３２２には原稿を下向きにセットする。融合機１０１は、フラットベッド３２２に原稿がセットされている場合、スタートボタン３１３が押されることで、撮像部１２１によりその原稿から画像を取得する。具体的に言うと、スタートボタン３１３が押されると、撮像部１２１が、フラットベッド３２２を介して対面する原稿から画像を取得する。
【００６６】
給紙部３０２は、印刷用紙の給紙先となる４箇所の給紙トレイと１箇所の手差しトレイにより構成される。排紙部３０３は、印刷用紙の排紙先となる１箇所の排紙トレイにより構成される。
【００６７】
（ユーザ情報）
図１の融合機１０１におけるユーザ情報の管理について説明する。
【００６８】
図１の融合機１０１においては、ユーザ情報は、ＵＣＳ１６７（図１参照）によりＨＤＤ２３３（図２参照）に蓄積されて管理されて、主にスキャナアプリ１４３（図１参照）とファクシミリアプリ１４４（図１参照）により利用される。
融合機１０１がスキャナやファクシミリとして機能する場合、メールアドレスやファクシミリ電話番号のようなユーザ情報が必要となるからである。融合機１０１は、ＵＣＳ１６７によりＨＤＤ２３３に蓄積されて管理されているユーザ情報を利用して、画像をネットワーク等を介して他の機器に送信する等の画像形成処理（コピーやプリンタやスキャナやファクシミリとしての処理）を実行することができる。
【００６９】
図１の融合機１０１においては、ユーザ情報は、ＵＣＳ１６７により図５のようなアドレス帳５０１にて管理される。すなわち、ユーザ（エントリ）はユーザＩＤ（エントリＩＤ）を基にして管理されると共に、ユーザ情報は「名前」「表示名」「よみがな」「メール宛先」「ＦＡＸ宛先」等の管理項目の項目値として管理される。各ユーザのユーザ情報のデータ構造は、図６のようなツリー構造６０１となる。すなわち、管理項目「名前」「表示名」が親項目となり、管理項目「メール宛先」「ＦＡＸ宛先」等が子項目となる。なお、１のユーザのユーザ情報は、通常１個のエントリに格納されて管理されるが、複数個のエントリに格納されて管理される場合もある。
【００７０】
図１の融合機１０１は、ユーザ情報をネットワーク等を介してＬＤＡＰサーバから取得して管理することができる。融合機１０１は、ここでは図７のように、３台のＬＤＡＰサーバ７０１（ＬＤＡＰサーバＡ・Ｂ・Ｃ）とＬＡＮ７１１で接続されており、３台のＬＤＡＰサーバ７０１（ＬＤＡＰサーバＡ・Ｂ・Ｃ）からＬＡＮ７１１を介してユーザ情報を取得して管理することができる。
【００７１】
図７と図８のシステム図とフロー図により具体的に説明する。スキャナアプリ１４３やファクシミリアプリ１４４は、図７のようなスキャナ用画面７２１とファクシミリ用画面７２２をタッチパネル３１１（図４参照）に表示する。これらの画面を介して、ユーザ情報をＬＤＡＰサーバ７０１から取得（検索）する旨の操作が入力されると、スキャナアプリ１４３等からＵＣＳ１６７にサーバ情報の取得要求が送信（Ｓ１）されて、これに応じてＵＣＳ１６７からスキャナアプリ１４３等にサーバ情報が提供（Ｓ２）される。
【００７２】
サーバ情報は、融合機１０１と接続されているＬＤＡＰサーバ７０１に関する情報であり、ＵＣＳ１６７によりＨＤＤ２３３に蓄積されて管理される。サーバ情報の管理項目は「サーバ名」「ポート番号」「ＩＰアドレス」等である。サーバ情報は、図９のようなシステム初期設定画面９０１とＬＤＡＰサーバ登録／変更画面９０２で登録・変更することができる。具体的に言うと、システム初期設定画面９０１で「ＬＤＡＰサーバ登録／変更ボタン」がタッチされると、ＬＤＡＰサーバ登録／変更画面９０２に画面が移り、ＬＤＡＰサーバ登録／変更画面９０２でサーバ情報が入力されて「設定ボタン」がタッチされると、システム初期設定画面９０１に画面が戻り、サーバ情報が登録・変更される。なお、これらの画面は、ＳＣＳ１６８（図１参照）によりタッチパネル３１１に表示される。
【００７３】
続いて、サーバ情報に基づいて所望のユーザ情報を所望のＬＤＡＰサーバ７０１から取得（検索）する旨の操作が入力されると、スキャナアプリ１４３等からＵＣＳ１６７にユーザ情報の検索要求が送信（Ｓ３）されて、これに応じてＵＣＳ１６７からＬＤＡＰサーバ７０１に検索操作が要求（Ｓ４）されて、これに応じてＬＤＡＰサーバ７０１からＵＣＳ１６７に検索結果が応答（Ｓ５）されて、これに応じてＵＣＳ１６７からスキャナアプリ１４３等にユーザ情報の検索終了通知が送信（Ｓ６）される。
【００７４】
続いて、スキャナアプリ１４３等からＵＣＳ１６７にユーザ情報の取得要求が送信（Ｓ７）されて、これに応じてＵＣＳ１６７からスキャナアプリ１４３等にユーザ情報が提供（Ｓ８）される。
【００７５】
この様子を図１０の画面変化図により説明する。画面Ａは、図７のスキャナ用画面７２１である。画面Ａで「ルーペボタン１００１」がタッチされると、画面Ｂに画面が移る。画面Ｂで「ＬＤＡＰ検索ボタン１００２」がタッチされると、画面Ｃに画面が移る。画面Ｃで「ＬＤＡＰサーバ選択ボタン１０１１」がタッチされると、画面Ｄに画面が移り、画面Ｃで「ＬＤＡＰ検索条件入力ボタン１０１２」がタッチされると、画面Ｅに画面が移る。画面ＤでＬＤＡＰサーバが選択されて「ＯＫボタン１０２１」がタッチされると、画面Ｃに画面が戻り、画面ＥでＬＤＡＰ検索条件が入力されて「ＯＫボタン１０２２」がタッチされると、画面Ｆに画面が移り、やがてユーザ情報が表示されることになる。
【００７６】
なお、画面Ｂで「ＬＤＡＰ検索ボタン１００２」をタッチする操作が、ユーザ情報をＬＤＡＰサーバ７０１から取得（検索）する旨の操作に相当して、画面ＤでＬＤＡＰサーバを選択して「ＯＫボタン１０２１」をタッチする操作と、画面ＥでＬＤＡＰ検索条件を入力して「ＯＫボタン１０２２」をタッチする操作が、所望のユーザ情報を所望のＬＤＡＰサーバ７０１から取得（検索）する旨の操作に相当する。
【００７７】
図１１は、ＬＤＡＰサーバ７０１からＵＣＳ１６７に応答（Ｓ５）された検索結果、すなわち、ＬＤＡＰサーバ７０１から取得されたユーザ情報を表す。ユーザ情報の取得項目は「ｃｎ」「ｓｎ」「ｇｉｖｅｎＮａｍｅ」「ｍａｉｌ」「ｆａｃｓｉｍｉｌｅＴｅｌｅｐｈｏｎｅＮｕｍｂｅｒ」等である。ＬＤＡＰサーバ７０１においては、ユーザ情報は「ｃｎ」「ｓｎ」「ｇｉｖｅｎＮａｍｅ」「ｍａｉｌ」「ｆａｃｓｉｍｉｌｅＴｅｌｅｐｈｏｎｅＮｕｍｂｅｒ」等の管理項目（属性）の項目値（属性値）として管理されているからである。正確に言うと、ＬＤＡＰサーバ７０１においては、日本語等のＡＳＣＩＩ文字以外の文字はＢａｓｅ６４形式で符号化された上で記述されるが、図１１では便宜上省略した。
【００７８】
さて、融合機１０１がユーザ情報をＬＤＡＰサーバ７０１から取得した場合、ＬＤＡＰサーバ７０１から取得されたユーザ情報の取得項目を、融合機１０１により管理されるユーザ情報の管理項目に置き換える必要がある。ＬＤＡＰサーバ７０１により管理されるユーザ情報の管理項目と、融合機１０１により管理されるユーザ情報の管理項目とが同じとは限らないからである。例えば、ＬＤＡＰサーバ７０１ではメールアドレスは「ｍａｉｌ」という管理項目（図１１参照）に管理されるが、融合機１０１ではメールアドレスは「メール宛先」という管理項目（図５・図６参照）に管理される。
【００７９】
その際、ある取得項目の項目値として複数個の項目値が存在する場合がある。例えば図１１では、ユーザ「鈴木太郎」に関して、取得項目「ｍａｉｌ」の項目値として３個の項目値「ｔａｒｏ＠ｒ．ｃｏ．ｊｐ」「ｓｕｚｕｋｉ＠ｒ．ｃｏ．ｊｐ」「ｔａｒｏｓｕｚｕｋｉ＠ｒ．ｃｏ．ｊｐ」が存在する。この場合、その複数個の項目値の中のどの項目値を、その取得項目から置き換えられる管理項目の項目値とするかに係る設定自由度は高い方が理想的である。これについては、第１・第２・第３実施例で取り扱う。
【００８０】
また、融合機１０１がユーザ情報をＬＤＡＰサーバ７０１から取得する場合、融合機１０１により管理されるユーザ情報を、ＬＤＡＰサーバ７０１により管理されるユーザ情報にリンクさせると便利である。そのためには、融合機１０１により管理されるユーザ情報の管理項目と、ＬＤＡＰサーバ７０１により管理されるユーザ情報の管理項目とを対応させる必要がある。この場合、融合機１０１により管理されるユーザ情報のどの管理項目と、ＬＤＡＰサーバ７０１により管理されるユーザ情報のどの管理項目とを対応させるかに係る設定自由度は高い方が理想的である。これについては、第４・第５・第６実施例で取り扱う。
【００８１】
なお、図１の融合機１０１においては、ＬＤＡＰサーバ７０１から取得されたユーザ情報のデータ構造は、図７と図８のように、Ｓ５とＳ６との間のＳ５−６で、ＵＣＳ１６７により図１１のようなデータ構造から図６のようなデータ構造に変換されるものとする。この際、ＵＣＳ１６７は、ＬＤＡＰサーバ７０１から取得されたユーザ情報の取得項目を、融合機１０１により管理されるユーザ情報の管理項目に置き換えるものとする。
【００８２】
（第１実施例）
図１の融合機１０１に係る第１実施例について説明する。
【００８３】
第１実施例では、図１０の画面Ｅで「属性値指定ボタン１０２３」がタッチされると、図１２の属性値指定画面１２０１に画面が移る。この状態は、図７や図８のシステム図やフロー図で言うと、Ｓ２とＳ３との間の状態に相当する。
【００８４】
図１２の属性値指定画面１２０１では、Ｓ５−６で、ＬＤＡＰサーバ７０１から取得されたユーザ情報の取得項目を、融合機１０１により管理されるユーザ情報の管理項目に置き換える際に、ある取得項目の項目値として複数個の項目値が存在する場合、その複数個の項目値の中のどの項目値を、その取得項目から置き換えられる管理項目の項目値とするかを事前に指定することができる。
【００８５】
例えば、図１２の「最初から２番目」を指定しておくと、Ｓ５−６で、図１１の取得項目「ｍａｉｌ」の項目値「ｓｕｚｕｋｉ＠ｒ．ｃｏ．ｊｐ」が、図１１の取得項目「ｍａｉｌ」から置き換えられる管理項目「メール宛先」の項目値として指定されることになる。このように、複数個の項目値の中から１個の項目値を指定する場合については、当該第１実施例において説明する。
【００８６】
例えば、図１２の「最後から１番目」と「最後から３番目」とを指定しておくと、Ｓ５−６で、図１１の取得項目「ｍａｉｌ」の項目値「ｔａｒｏｓｕｚｕｋｉ＠ｒ．ｃｏ．ｊｐ」と項目値「ｔａｒｏ＠ｒ．ｃｏ．ｊｐ」とが、図１１の取得項目「ｍａｉｌ」から置き換えられる管理項目「メール宛先」の項目値として指定されることになる。このように、複数個の項目値の中から複数個の項目値を指定する場合については、後述する第２実施例において説明する。
【００８７】
例えば、図１２の「全て」を指定しておくと、Ｓ５−６で、図１１の取得項目「ｍａｉｌ」の３個の項目値「ｔａｒｏ＠ｒ．ｃｏ．ｊｐ」「ｓｕｚｕｋｉ＠ｒ．ｃｏ．ｊｐ」「ｔａｒｏｓｕｚｕｋｉ＠ｒ．ｃｏ．ｊｐ」の全てが、図１１の取得項目「ｍａｉｌ」から置き換えられる管理項目「メール宛先」の項目値として指定されることになる。このように、複数個の項目値の全てを指定する場合については、後述する第３実施例において説明する。
【００８８】
なお、ここでは、ＬＤＡＰサーバ７０１からユーザ情報を取得する前（Ｓ５の前）に指定操作を行うようにしているが、ＬＤＡＰサーバ７０１からユーザ情報を取得した後（Ｓ５の後）に指定操作を行うようにしてもよい。その場合には、例えば、ＬＤＡＰサーバ７０１から取得されたユーザ情報を見ながら指定操作を行なうことができるようにすることができる。
【００８９】
第１実施例では、図１２の属性値指定画面１２０１で「設定ボタン１２０２」がタッチされると、指定操作により入力された指定情報が設定されて、図１０の画面Ｅに画面が戻る。続いて、図１０の画面Ｆに画面が移り、やがてユーザ情報が表示されることになる。この状態は、図７や図８のシステム図やフロー図で言うと、Ｓ３とＳ８との間の状態に相当する。すなわち、この間にＳ５−６の情報処理が実行される。
【００９０】
図１３は、第１実施例に係るフローチャートである。具体的に言うと、ＬＤＡＰサーバ７０１から取得されたユーザ情報の取得項目を、融合機１０１により管理されるユーザ情報の管理項目に置き換える（Ｓ５−６）際、図１１のように、取得項目「ｍａｉｌ」の項目値（属性値）として３個の項目値が存在する場合、上記の指定情報に基づいてその３個の項目値の中から指定される１個の項目値を、管理項目「メール宛先」の項目値とする情報処理に係るフローチャートである。
【００９１】
ＵＣＳ１６７は、ＬＤＡＰサーバ７０１からユーザ情報を取得（Ｓ５）すると、取得項目「ｍａｉｌ」の１個目の属性値が存在（Ｓ１１）する場合、属性値の分解を開始（Ｓ１２）する。続いて、取得項目「ｍａｉｌ」の各属性値について、指定された属性値であるか否かを判断（Ｓ１３・Ｓ１４）して、指定された属性値を１個発見（Ｓ１３）した場合、その属性値を管理項目「メール宛先」の項目値（Ｓ１５）として、属性値の分解を終了（Ｓ１６）する。続いて、スキャナアプリ１４３等にユーザ情報の検索終了通知を送信（Ｓ６）する。
【００９２】
図１４の画面変化図は、図１０の画面変化図に続く画面変化図である。第１実施例では、図１０の画面Ｆから図１４の画面Ｇにやがて画面が移る。
【００９３】
画面Ｇには、ＵＣＳ１６７からスキャナアプリ１４３等に提供（Ｓ８）されたユーザ情報が表示される。このユーザ情報は、ＬＤＡＰサーバ７０１からＵＣＳ１６７に応答（Ｓ５）された検索結果、すなわち、ＬＤＡＰサーバ７０１から取得されたユーザ情報である。ただし、ＬＤＡＰサーバ７０１から取得されたユーザ情報そのままではなく、ＵＣＳ１６７が、取得項目（図１１参照）を管理項目（図５・図６参照）に置き換えた（Ｓ５−６）ユーザ情報である。例えば、取得項目「ｍａｉｌ」は管理項目「メール宛先」に置き換えられている。なお、図１４の画面Ｇにユーザ「鈴木＊＊」のユーザ情報が多数表示されているのは、図１０の画面ＥでＬＤＡＰ検索条件「名前」が前方一致で「鈴木」と入力されたためである。
【００９４】
画面Ｇには、ユーザ「鈴木太郎」に関して、管理項目「メール宛先」の１個の項目値「ｓｕｚｕｋｉ＠ｒ．ｃｏ．ｊｐ」が表示されている。これは、図１２の「最初から２番目」を指定しておいたため、図１１の取得項目「ｍａｉｌ」の最初から２番目の項目値「ｓｕｚｕｋｉ＠ｒ．ｃｏ．ｊｐ」が、管理項目「メール宛先」の項目値として指定されたことに起因する。
【００９５】
ＵＣＳ１６７は、ユーザ「鈴木太郎」のユーザ情報に関して、管理項目「メール宛先」の１個の項目値「ｓｕｚｕｋｉ＠ｒ．ｃｏ．ｊｐ」を１個のエントリに格納して管理する。
【００９６】
（第２実施例）
図１の融合機１０１に係る第２実施例について説明する。
【００９７】
第２実施例では、図１０の画面Ｅで「属性値指定ボタン１０２３」がタッチされると、図１２の属性値指定画面１２０１に画面が移る。この状態は、図７や図８のシステム図やフロー図で言うと、Ｓ２とＳ３との間の状態に相当する。
【００９８】
図１２の属性値指定画面１２０１については、第１実施例と同様である。
【００９９】
第２実施例では、図１２の属性値指定画面１２０１で「設定ボタン１２０２」がタッチされると、指定操作により入力された指定情報が設定されて、図１０の画面Ｅに画面が戻る。続いて、図１０の画面Ｆに画面が移り、やがてユーザ情報が表示されることになる。この状態は、図７や図８のシステム図やフロー図で言うと、Ｓ３とＳ８との間の状態に相当する。すなわち、この間にＳ５−６の情報処理が実行される。
【０１００】
図１５は、第２実施例に係るフローチャートである。具体的に言うと、ＬＤＡＰサーバ７０１から取得されたユーザ情報の取得項目を、融合機１０１により管理されるユーザ情報の管理項目に置き換える（Ｓ５−６）際、図１１のように、取得項目「ｍａｉｌ」の項目値（属性値）として３個の項目値が存在する場合、上記の指定情報に基づいてその３個の項目値の中から指定される２個の項目値を、管理項目「メール宛先」の項目値とする情報処理に係るフローチャートである。
【０１０１】
ＵＣＳ１６７は、ＬＤＡＰサーバ７０１からユーザ情報を取得（Ｓ５）すると、取得項目「ｍａｉｌ」の１個目の属性値が存在（Ｓ２１）する場合、属性値の分解を開始（Ｓ２２）する。続いて、取得項目「ｍａｉｌ」の全属性値について、指定された属性値であるか否かを判断（Ｓ２３・Ｓ２４）して、指定された属性値を１個発見（Ｓ２３）するごとに、その属性値を管理項目「メール宛先」の項目値（Ｓ２５）として、属性値の分解を終了（Ｓ２６）する。続いて、スキャナアプリ１４３等にユーザ情報の検索終了通知を送信（Ｓ６）する。
【０１０２】
なお、ＵＣＳ１６７はここでは、ある管理項目の項目値として複数個の項目値を管理する場合、その複数個の項目値を１個のエントリに格納して管理するが、１個ではなく複数個のエントリに格納して管理してもよい。前者の場合、Ｓ２３で属性値を１個発見するごとに、Ｓ２５でその属性値を１個のエントリに次々に格納して行き、後者の場合、Ｓ２３で属性値を１個発見するごとに、Ｓ２５でエントリを作成して、その属性値をそのエントリに格納して行く。
【０１０３】
図１６の画面変化図は、図１０の画面変化図に続く画面変化図である。第２実施例では、図１０の画面Ｆから図１６の画面Ｈにやがて画面が移る。
【０１０４】
画面Ｈには、ＵＣＳ１６７からスキャナアプリ１４３等に提供（Ｓ８）されたユーザ情報が表示される。このユーザ情報は、ＬＤＡＰサーバ７０１からＵＣＳ１６７に応答（Ｓ５）された検索結果、すなわち、ＬＤＡＰサーバ７０１から取得されたユーザ情報である。ただし、ＬＤＡＰサーバ７０１から取得されたユーザ情報そのままではなく、ＵＣＳ１６７が、取得項目（図１１参照）を管理項目（図５・図６参照）に置き換えた（Ｓ５−６）ユーザ情報である。例えば、取得項目「ｍａｉｌ」は管理項目「メール宛先」に置き換えられている。なお、図１６の画面Ｈにユーザ「鈴木＊＊」のユーザ情報が多数表示されているのは、図１０の画面ＥでＬＤＡＰ検索条件「名前」が前方一致で「鈴木」と入力されたためである。
【０１０５】
画面Ｈでユーザ「鈴木太郎」がタッチされると、画面Ｉに画面が移る。画面Ｉには、ユーザ「鈴木太郎」に関して、管理項目「メール宛先」の２個の項目値「ｔａｒｏｓｕｚｕｋｉ＠ｒ．ｃｏ．ｊｐ」と「ｔａｒｏ＠ｒ．ｃｏ．ｊｐ」とが表示されている。これは、図１２の「最後から１番目」と「最後から３番目」とを指定しておいたため、図１１の取得項目「ｍａｉｌ」の最後から１番目の項目値「ｔａｒｏｓｕｚｕｋｉ＠ｒ．ｃｏ．ｊｐ」と最後から３番目の項目値「ｔａｒｏ＠ｒ．ｃｏ．ｊｐ」とが、管理項目「メール宛先」の項目値として指定されたことに起因する。
【０１０６】
ＵＣＳ１６７は、ユーザ「鈴木太郎」のユーザ情報に関して、管理項目「メール宛先」の２個の項目値「ｔａｒｏｓｕｚｕｋｉ＠ｒ．ｃｏ．ｊｐ」と「ｔａｒｏ＠ｒ．ｃｏ．ｊｐ」とを１個のエントリに格納して管理する。
【０１０７】
（第３実施例）
図１の融合機１０１に係る第３実施例について説明する。
【０１０８】
第３実施例では、図１０の画面Ｅで「属性値指定ボタン１０２３」がタッチされると、図１２の属性値指定画面１２０１に画面が移る。この状態は、図７や図８のシステム図やフロー図で言うと、Ｓ２とＳ３との間の状態に相当する。
【０１０９】
図１２の属性値指定画面１２０１については、第１実施例と同様である。
【０１１０】
第２実施例では、図１２の属性値指定画面１２０１で「設定ボタン１２０２」がタッチされると、指定操作により入力された指定情報が設定されて、図１０の画面Ｅに画面が戻る。続いて、図１０の画面Ｆに画面が移り、やがてユーザ情報が表示されることになる。この状態は、図７や図８のシステム図やフロー図で言うと、Ｓ３とＳ８との間の状態に相当する。すなわち、この間にＳ５−６の情報処理が実行される。
【０１１１】
図１７は、第３実施例に係るフローチャートである。具体的に言うと、ＬＤＡＰサーバ７０１から取得されたユーザ情報の取得項目を、融合機１０１により管理されるユーザ情報の管理項目に置き換える（Ｓ５−６）際、図１１のように、取得項目「ｍａｉｌ」の項目値（属性値）として３個の項目値が存在する場合、上記の指定情報に基づいてその３個の項目値の全てを、管理項目「メール宛先」の項目値とする情報処理に係るフローチャートである。
【０１１２】
ＵＣＳ１６７は、ＬＤＡＰサーバ７０１からユーザ情報を取得（Ｓ５）すると、取得項目「ｍａｉｌ」の１個目の属性値が存在（Ｓ３１）する場合、属性値の分解を開始（Ｓ３２）する。続いて、取得項目「ｍａｉｌ」の全属性値を管理項目「メール宛先」の項目値（Ｓ３３・Ｓ３４）として、属性値の分解を終了（Ｓ３５）する。続いて、スキャナアプリ１４３等にユーザ情報の検索終了通知を送信（Ｓ６）する。
【０１１３】
なお、ＵＣＳ１６７はここでは、ある管理項目の項目値として複数個の項目値を管理する場合、その複数個の項目値を複数個のエントリに格納して管理するが、複数個ではなく１個のエントリに格納して管理してもよい。前者の場合、Ｓ３４で次の属性値が存在するごとに、Ｓ３３でエントリを作成して、その属性値をそのエントリに格納して行き、後者の場合、Ｓ３４で次の属性値が存在するごとに、Ｓ３３でその属性値を１個のエントリに次々に格納して行く。
【０１１４】
図１８の画面変化図は、図１０の画面変化図に続く画面変化図である。第２実施例では、図１０の画面Ｆから図１８の画面Ｊにやがて画面が移る。
【０１１５】
画面Ｊには、ＵＣＳ１６７からスキャナアプリ１４３等に提供（Ｓ８）されたユーザ情報が表示される。このユーザ情報は、ＬＤＡＰサーバ７０１からＵＣＳ１６７に応答（Ｓ５）された検索結果、すなわち、ＬＤＡＰサーバ７０１から取得されたユーザ情報である。ただし、ＬＤＡＰサーバ７０１から取得されたユーザ情報そのままではなく、ＵＣＳ１６７が、取得項目（図１１参照）を管理項目（図５・図６参照）に置き換えた（Ｓ５−６）ユーザ情報である。例えば、取得項目「ｍａｉｌ」は管理項目「メール宛先」に置き換えられている。なお、図１８の画面Ｊにユーザ「鈴木＊＊」のユーザ情報が多数表示されているのは、図１０の画面ＥでＬＤＡＰ検索条件「名前」が前方一致で「鈴木」と入力されたためである。
【０１１６】
画面Ｊには、ユーザ「鈴木太郎」に関して、管理項目「メール宛先」の３個の項目値「ｔａｒｏ＠ｒ．ｃｏ．ｊｐ」と「ｓｕｚｕｋｉ＠ｒ．ｃｏ．ｊｐ」と「ｔａｒｏｓｕｚｕｋｉ＠ｒ．ｃｏ．ｊｐ」とが表示されている。これは、図１２の「全て」を指定しておいたため、図１１の取得項目「ｍａｉｌ」の３個の項目値
「ｔａｒｏ＠ｒ．ｃｏ．ｊｐ」「ｓｕｚｕｋｉ＠ｒ．ｃｏ．ｊｐ」「ｔａｒｏｓｕｚｕｋｉ＠ｒ．ｃｏ．ｊｐ」の全てが、管理項目「メール宛先」の項目値として指定されたことに起因する。
【０１１７】
ＵＣＳ１６７は、ユーザ「鈴木太郎」のユーザ情報に関して、管理項目「メール宛先」の３個の項目値「ｔａｒｏ＠ｒ．ｃｏ．ｊｐ」と「ｓｕｚｕｋｉ＠ｒ．ｃｏ．ｊｐ」と「ｔａｒｏｓｕｚｕｋｉ＠ｒ．ｃｏ．ｊｐ」とを３個のエントリに１個ずつ格納して管理する。
【０１１８】
（第４実施例）
図１の融合機１０１に係る第４実施例について、図１９のフローチャートにより説明する。
【０１１９】
第４実施例では、図９のシステム初期設定画面９０１で「アドレス帳登録／変更ボタン」がタッチされると、図２０のアドレス帳登録／変更画面２００１に画面が移る。
【０１２０】
図２０のアドレス帳登録／変更画面２００１では、融合機１０１により管理されるユーザ情報の管理項目と、ＬＤＡＰサーバ７０１により管理されるユーザ情報の管理項目（属性）とを対応させることにより、融合機１０１により管理されるユーザ情報を、ＬＤＡＰサーバ７０１により管理されるユーザ情報にリンクさせることができる。
【０１２１】
具体的に説明する。図２０のアドレス帳登録／変更画面２００１においては、融合機１０１により管理されるユーザ情報の管理項目の欄に、ＬＤＡＰサーバ７０１により管理されるユーザ情報の管理項目を候補として入力することができる。例えば、融合機１０１により管理されるユーザ情報の管理項目である「名前」の欄に、ＬＤＡＰサーバ７０１により管理されるユーザ情報の管理項目である「ｃｎ」を候補として入力することができる。
【０１２２】
図２０の「名前」の欄に「ｃｎ」を候補として入力することが、融合機１０１により管理されるユーザ情報の管理項目である「名前」と、ＬＤＡＰサーバ７０１により管理されるユーザ情報の管理項目である「ｃｎ」とを対応させることになり、管理項目「名前」の項目値として融合機１０１により管理されるユーザ情報を、管理項目「ｃｎ」の項目値としてＬＤＡＰサーバ７０１により管理されるユーザ情報にリンクさせることになる。
【０１２３】
図２０の「名前」の欄に「ｃｎ」を候補として入力するためには、図２０の「名前」の欄の「選択ボタン」をタッチして、図２０の属性選択画面２００２で「ｃｎ」をタッチするというタッチ操作を実行する。
【０１２４】
以下、実際にリンクが形成されるまでの具体的処理について説明する。
【０１２５】
図２０の「名前」の欄に「ｃｎ」が候補として入力されて、図２０の「設定ボタン」がタッチされると、ＵＣＳ１６７は、図７と図８のＳ４とＳ５の処理により、ＬＤＡＰサーバ７０１からユーザ情報を取得（Ｓ４１）する。さらに、ＬＤＡＰサーバ７０１から取得されたユーザ情報の取得項目の中に候補「ｃｎ」が存在するか否かを判断（Ｓ４２）する。
【０１２６】
そして、存在する場合には、管理項目「名前」の項目値として融合機１０１により管理されるユーザ情報を、管理項目「ｃｎ」の項目値としてＬＤＡＰサーバ７０１により管理されるユーザ情報にリンク（Ｓ４３）させて、存在しない場合には、管理項目「名前」の項目値をＮＵＬＬ（Ｓ４４）とする。
【０１２７】
（第５実施例）
図１の融合機１０１に係る第５実施例について、図２１のフローチャートにより説明する。
【０１２８】
第５実施例では、図９のシステム初期設定画面９０１で「アドレス帳登録／変更ボタン」がタッチされると、図２２のアドレス帳登録／変更画面２２０１に画面が移る。
【０１２９】
図２２のアドレス帳登録／変更画面２２０１では、融合機１０１により管理されるユーザ情報の管理項目と、ＬＤＡＰサーバ７０１により管理されるユーザ情報の管理項目（属性）とを対応させることにより、融合機１０１により管理されるユーザ情報を、ＬＤＡＰサーバ７０１により管理されるユーザ情報にリンクさせることができる。
【０１３０】
具体的に説明する。図２２のアドレス帳登録／変更画面２２０１においては、融合機１０１により管理されるユーザ情報の１個の管理項目の欄に、ＬＤＡＰサーバ７０１により管理されるユーザ情報の複数個の管理項目を複数個の候補として入力することができる。例えば、融合機１０１により管理されるユーザ情報の管理項目である「名前」の欄に、ＬＤＡＰサーバ７０１により管理されるユーザ情報の管理項目である「ｃｎ」と「ｅｍｐｌｏｙｅｅＮｕｍｂｅｒ」とを第１候補と第２候補として入力することができる。
【０１３１】
図２２の「名前」の欄に「ｃｎ」と「ｅｍｐｌｏｙｅｅＮｕｍｂｅｒ」とを第１候補と第２候補として入力することが、融合機１０１により管理されるユーザ情報の管理項目である「名前」と、ＬＤＡＰサーバ７０１により管理されるユーザ情報の管理項目である「ｃｎ」又は「ｅｍｐｌｏｙｅｅＮｕｍｂｅｒ」とを対応させることになり、管理項目「名前」の項目値として融合機１０１により管理されるユーザ情報を、管理項目「ｃｎ」又は「ｅｍｐｌｏｙｅｅＮｕｍｂｅｒ」の項目値としてＬＤＡＰサーバ７０１により管理されるユーザ情報にリンクさせることになる。
【０１３２】
図２２の「名前」の欄に「ｃｎ」と「ｅｍｐｌｏｙｅｅＮｕｍｂｅｒ」とを第１候補と第２候補として入力するためには、図２２の「名前」の欄の「選択ボタン」をタッチして、第１候補については、図２２の属性選択画面２２０２で「ｃｎ」をタッチして、第２候補については、図２２の属性選択画面２２０２で「ｅｍｐｌｏｙｅｅＮｕｍｂｅｒ」をタッチするというタッチ操作を実行する。
【０１３３】
以下、実際にリンクが形成されるまでの具体的処理について説明する。
【０１３４】
図２２の「名前」の欄に「ｃｎ」と「ｅｍｐｌｏｙｅｅＮｕｍｂｅｒ」とが第１候補と第２候補として入力されて、図２２の「設定ボタン」がタッチされると、ＵＣＳ１６７は、図７と図８のＳ４とＳ５の処理により、ＬＤＡＰサーバ７０１からユーザ情報を取得（Ｓ５１）する。さらに、ＬＤＡＰサーバ７０１から取得されたユーザ情報の取得項目の中に第１候補「ｃｎ」が存在するか否かを判断（Ｓ５２）する。
【０１３５】
そして、存在する場合には、管理項目「名前」の項目値として融合機１０１により管理されるユーザ情報を、管理項目「ｃｎ」の項目値としてＬＤＡＰサーバ７０１により管理されるユーザ情報にリンク（Ｓ５３）させて、存在しない場合には、ＬＤＡＰサーバ７０１から取得されたユーザ情報の取得項目の中に第２候補「ｅｍｐｌｏｙｅｅＮｕｍｂｅｒ」が存在するか否かを判断（Ｓ５４）する。
【０１３６】
そして、存在する場合には、管理項目「名前」の項目値として融合機１０１により管理されるユーザ情報を、管理項目「ｅｍｐｌｏｙｅｅＮｕｍｂｅｒ」の項目値としてＬＤＡＰサーバ７０１により管理されるユーザ情報にリンク（Ｓ５５）させて、存在しない場合には、管理項目「名前」の項目値をＮＵＬＬ（Ｓ５６）とする。
【０１３７】
（第６実施例）
図１の融合機１０１に係る第６実施例について、図２３のフローチャートにより説明する。
【０１３８】
第６実施例では、図９のシステム初期設定画面９０１で「アドレス帳登録／変更ボタン」がタッチされると、図２４のアドレス帳登録／変更画面２４０１に画面が移る。
【０１３９】
図２４のアドレス帳登録／変更画面２４０１では、融合機１０１により管理されるユーザ情報の管理項目と、特定のＬＤＡＰサーバ７０１により管理されるユーザ情報の管理項目（属性）とを対応させることにより、融合機１０１により管理されるユーザ情報を、特定のＬＤＡＰサーバ７０１により管理されるユーザ情報にリンクさせることができる。
【０１４０】
具体的に説明する。図２４のアドレス帳登録／変更画面２４０１においては、融合機１０１により管理されるユーザ情報の１個の管理項目の欄に、特定のＬＤＡＰサーバ７０１により管理されるユーザ情報の複数個の管理項目を複数個の候補として入力することができる。例えば、融合機１０１により管理されるユーザ情報の管理項目である「名前」の欄に、ＬＤＡＰサーバＡにより管理されるユーザ情報の管理項目である「ｃｎ」とＬＤＡＰサーバＡにより管理されるユーザ情報の管理項目である「ｓｎ」とを第１候補と第２候補として入力することや、ＬＤＡＰサーバＡにより管理されるユーザ情報の管理項目である「ｃｎ」とＬＤＡＰサーバＢにより管理されるユーザ情報の管理項目である「ｃｎ」とを第１候補と第２候補として入力することができる。すなわち、同一のＬＤＡＰサーバ７０１により管理されるユーザ情報の管理項目同士を、第１候補と第２候補として入力することや、別々のＬＤＡＰサーバ７０１により管理されるユーザ情報の管理項目同士を、第１候補と第２候補として入力することができる。
【０１４１】
図２４の「名前」の欄に「ｃｎ（サーバＡ）」と「ｃｎ（サーバＢ）」とを第１候補と第２候補として入力することが、融合機１０１により管理されるユーザ情報の管理項目である「名前」と、ＬＤＡＰサーバＡにより管理されるユーザ情報の管理項目である「ｃｎ」又はＬＤＡＰサーバＢにより管理されるユーザ情報の管理項目である「ｃｎ」とを対応させることになり、管理項目「名前」の項目値として融合機１０１により管理されるユーザ情報を、管理項目「ｃｎ」の項目値としてＬＤＡＰサーバＡにより管理されるユーザ情報又は管理項目「ｃｎ」の項目値としてＬＤＡＰサーバＢにより管理されるユーザ情報にリンクさせることになる。
【０１４２】
図２４の「名前」の欄に「ｃｎ（サーバＡ）」と「ｃｎ（サーバＢ）」とを第１候補と第２候補として入力するためには、図２２の「名前」の欄の「選択ボタン」をタッチして、第１候補については、▲１▼図２４の属性選択画面２４０２で「ｃｎ」をタッチして、▲２▼図２４の「第１候補」の欄の「選択ボタン」をタッチして、▲３▼図２４のＬＤＡＰサーバ選択画面２４０３で「ＬＤＡＰサーバＡ」をタッチして、第２候補については、▲１▼図２４の属性選択画面２４０２で「ｃｎ」をタッチして、▲２▼図２４の「第２候補」の欄の「選択ボタン」をタッチして、▲３▼図２４のＬＤＡＰサーバ選択画面２４０３で「ＬＤＡＰサーバＡ」をタッチするというタッチ操作を実行する。
【０１４３】
以下、実際にリンクが形成されるまでの具体的処理について説明する。
【０１４４】
図２４の「名前」の欄に「ｃｎ（サーバＡ）」と「ｃｎ（サーバＢ）」とが第１候補と第２候補として入力されて、図２４の「設定ボタン」がタッチされると、ＵＣＳ１６７は、図７と図８のＳ４とＳ５の処理により、ＬＤＡＰサーバＡからユーザ情報を取得（Ｓ６１）する。さらに、ＬＤＡＰサーバＡから取得されたユーザ情報の取得項目の中に第１候補「ｃｎ」が存在するか否かを判断（Ｓ６２）する。
【０１４５】
そして、存在する場合には、管理項目「名前」の項目値として融合機１０１により管理されるユーザ情報を、管理項目「ｃｎ」の項目値としてＬＤＡＰサーバＡにより管理されるユーザ情報にリンク（Ｓ６３）させて、存在しない場合には、図７と図８のＳ４とＳ５の処理により、ＬＤＡＰサーバＢからユーザ情報を取得（Ｓ６４）する。さらに、ＬＤＡＰサーバＢから取得されたユーザ情報の取得項目の中に第２候補「ｃｎ」が存在するか否かを判断（Ｓ６５）する。
【０１４６】
そして、存在する場合には、管理項目「名前」の項目値として融合機１０１により管理されるユーザ情報を、管理項目「ｃｎ」の項目値としてＬＤＡＰサーバＢにより管理されるユーザ情報にリンク（Ｓ６６）させて、存在しない場合には、管理項目「名前」の項目値をＮＵＬＬ（Ｓ６７）とする。
【０１４７】
（第４・第５・第６実施例）
第４・第５・第６実施例のように、融合機１０１により管理されるユーザ情報を、ＬＤＡＰサーバ７０１により管理されるユーザ情報にリンクさせる場合、ユーザ識別（エントリ識別）が必要となる。そのため、図１の融合機１０１では、ユーザ識別情報（エントリ識別情報）を設定することができる。
【０１４８】
図９のＬＤＡＰサーバ登録／変更画面９０２で「ユーザ識別情報設定ボタン９０３」がタッチされると、図２５のユーザ識別情報設定画面２５０１に画面が移る。
【０１４９】
図２５のユーザ識別情報設定画面２５０１では、ＬＤＡＰサーバ７０１により管理されるユーザ情報の管理項目（属性）を入力することで、ユーザ識別情報を設定することができる。例えば「ｃｎ」と「ｅｍｐｌｏｙｅｅＮｕｍｂｅｒ」を入力するためには、図２５のユーザ情報設定画面２５０１で「選択ボタン」をタッチして、図２５の属性選択画面２５０２で「ｃｎ」と「ｅｍｐｌｏｙｅｅＮｕｍｂｅｒ」とをタッチするというタッチ操作を実行する。
【０１５０】
第４・第５・第６実施例のように、融合機１０１により管理されるユーザ情報を、ＬＤＡＰサーバ７０１により管理されるユーザ情報にリンクさせる場合、ユーザ情報と共にサーバ情報を管理するようにしてもよい。
【０１５１】
例えば、第４・第５実施例では、各ユーザのユーザ情報のデータ構造を、図２６Ａのようなツリー構造６０１として、ユーザ情報を管理してもよい。例えば、第６実施例では、各ユーザのユーザ情報のデータ構造を、図２６Ｂのようなツリー構造６０１として、ユーザ情報を管理してもよい。
【０１５２】
第１・第２・第３実施例と第４・第５・第６実施例とは、互いに組み合わせて実施してもよい。前者３実施例のどれと後者３実施例のどれとを組み合わせるかについては、適宜選択可能である。
【０１５３】
【発明の効果】
このように、本発明は第１に、ＬＤＡＰサーバ等の情報管理サーバからユーザ情報を取得して管理する画像形成装置に関して、情報管理サーバから取得されたユーザ情報の取得項目を、画像形成装置により管理されるユーザ情報の管理項目に置き換える際、ある取得項目の項目値として複数個の項目値が存在する場合につき、その複数個の項目値の中のどの項目値を、その取得項目から置き換えられる管理項目の項目値とするかに係る設定自由度を向上させることを可能にする。
【０１５４】
このように、本発明は第２に、ＬＤＡＰサーバ等の情報管理サーバからユーザ情報を取得して管理する画像形成装置に関して、画像形成装置により管理されるユーザ情報を、情報管理サーバにより管理されるユーザ情報にリンクさせることを可能にすると共に、画像形成装置により管理されるユーザ情報のどの管理項目と、情報管理サーバにより管理されるユーザ情報のどの管理項目とを対応させるかに係る設定自由度を向上させることを可能にする。
【図面の簡単な説明】
【図１】本発明の実施の形態の例である融合機を表す。
【図２】図１の融合機のハードウェアを表す。
【図３】図１の融合機の外観を表す。
【図４】オペレーションパネルを表す。
【図５】融合機に管理されるユーザ情報に係るアドレス帳を表す。
【図６】融合機に管理されるユーザ情報に係るツリー構造を表す。
【図７】融合機とＬＤＡＰサーバの間での要求と応答に係るシステム図である。
【図８】融合機とＬＤＡＰサーバの間での要求と応答に係るフロー図である。
【図９】システム初期設定画面とＬＤＡＰサーバ登録／変更画面を表す。
【図１０】融合機とＬＤＡＰサーバの間での要求と応答に係る画面変化図である。
【図１１】ＬＤＡＰサーバから取得されたユーザ情報を表す。
【図１２】属性値指定画面を表す。
【図１３】第１実施例に係るフローチャートである。
【図１４】図１０の画面変化図に続く画面変化図である。
【図１５】第２実施例に係るフローチャートである。
【図１６】図１０の画面変化図に続く画面変化図である。
【図１７】第３実施例に係るフローチャートである。
【図１８】図１０の画面変化図に続く画面変化図である。
【図１９】第４実施例に係るフローチャートである。
【図２０】アドレス帳登録／変更画面と属性選択画面を表す。
【図２１】第５実施例に係るフローチャートである。
【図２２】アドレス帳登録／変更画面と属性選択画面を表す。
【図２３】第６実施例に係るフローチャートである。
【図２４】アドレス帳登録／変更画面と属性選択画面とＬＤＡＰサーバ選択画面を表す。
【図２５】ユーザ識別情報設定画面と属性選択画面を表す。
【図２６】融合機に管理されるユーザ情報に係るツリー構造を表す。
【符号の説明】
１０１  融合機
１１１  ハードウェア
１１２  ソフトウェア
１１３  融合機起動部
１２１  撮像部
１２２  印刷部
１２３  その他のハードウェア
１３１  アプリケーション
１３２  プラットフォーム
１３３  アプリケーションインタフェース
１３４  エンジンインタフェース
１４１  コピーアプリ
１４２  プリンタアプリ
１４３  スキャナアプリ
１４４  ファクシミリアプリ
１４５  ネットワークファイルアプリ
１５１  コントロールサービス
１５２  システムリソースマネージャ
１５３  ハンドラ
１６１  ネットワークコントロールサービス
１６２  ファクシミリコントロールサービス
１６３  デリバリコントロールサービス
１６４  エンジンコントロールサービス
１６５  メモリコントロールサービス
１６６  オペレーションパネルコントロールサービス
１６７  ユーザディレクトリコントロールサービス
１６８  システムコントロールサービス
１７１  ファクシミリコントロールユニットハンドラ
１７２  イメージメモリハンドラ
２０１  コントローラ
２０２  オペレーションパネル
２０３  ファクシミリコントロールユニット
２１１  ＣＰＵ
２１２  ＡＳＩＣ
２２１  ＮＢ
２２２  ＳＢ
２３１  ＭＥＭ−Ｐ
２３２  ＭＥＭ−Ｃ
２３３  ＨＤＤ
２４１  ＮＩＣ
２４２  ＵＳＢデバイス
２４３  ＩＥＥＥ１３９４デバイス
２４４  セントロニクスデバイス
３０１  原稿セット部
３０２  給紙部
３０３  排紙部
３１１  タッチパネル
３１２  数字ボタン
３１３  スタートボタン
３２１  ＡＤＦ
３２２  フラットベッド
３２３  フラットベッドカバー
５０１  アドレス帳
６０１  ツリー構造
７０１  ＬＤＡＰサーバ
７１１  ＬＡＮ
７２１  スキャナ用画面
７２２  ファクシミリ用画面
９０１  システム初期設定画面
９０２  ＬＤＡＰサーバ登録／変更画面
９０３  ユーザ識別情報設定ボタン
１００１  ルーペボタン
１００２  ＬＤＡＰ検索ボタン
１０１１  ＬＤＡＰサーバ選択ボタン
１０１２  ＬＤＡＰ検索条件入力ボタン
１０２１  ＯＫボタン
１０２２  ＯＫボタン
１０２３  属性値指定ボタン
１２０１  属性値指定画面
１２０２  設定ボタン
２００１  アドレス帳登録／変更画面
２００２  属性選択画面
２２０１  アドレス帳登録／変更画面
２２０２  属性選択画面
２４０１  アドレス帳登録／変更画面
２４０２  属性選択画面
２４０３  ＬＤＡＰサーバ選択画面
２５０１  ユーザ識別情報設定画面
２５０２  属性選択画面
【図１】
2004274504.tif 000003
【図２】
2004274504.tif 000004
【図３】
2004274504.tif 000005
【図４】
2004274504.tif 000006
【図５】
2004274504.tif 000007
【図６】
2004274504.tif 000008
【図７】
2004274504.tif 000009
【図８】
2004274504.tif 000010
【図９】
2004274504.tif 000011
【図１０】
2004274504.tif 000012
【図１１】
2004274504.tif 000013
【図１２】
2004274504.tif 000014
【図１３】
2004274504.tif 000015
【図１４】
2004274504.tif 000016
【図１５】
2004274504.tif 000017
【図１６】
2004274504.tif 000018
【図１７】
2004274504.tif 000019
【図１８】
2004274504.tif 000020
【図１９】
2004274504.tif 000021
【図２０】
2004274504.tif 000022
【図２１】
2004274504.tif 000023
【図２２】
2004274504.tif 000024
【図２３】
2004274504.tif 000025
【図２４】
2004274504.tif 000026
【図２５】
2004274504.tif 000027
【図２６】
2004274504.tif 000028